(57)【要約】【課題】摩擦部を用いて摩擦操作する際、安定した摩擦操作が得られ、且つ、ノック部材を片手で前方に押圧操作する際、手の比較的小さい人であっても、スムーズな押圧操作が得られる熱変色性筆記具を提供する。【解決手段】ノック部材８を弾性材料から一体に形成し、ノック部材８の外面に、熱変色性インキの筆跡を摩擦しその際に生じる摩擦熱で前記熱変色性インキの筆跡を熱変色可能な摩擦部９を形成する。ノック部材８が、軸筒２の後端孔４１に挿通され且つ回転部材７に係合される内筒部８１と、内筒部８１と一体に連結され且つ軸筒２の後端部を覆う外筒部８２とを備える。ノック部材８の外筒部８２の外面に、摩擦部９を用いて摩擦操作する際に把持可能な把持部８２ａを設け、ノック部材８の外筒部８２が常にクリップ４３の後方に配置される。【選択図】  図２
2018108664.tif 000002
【特許請求の範囲】
【請求項１】
筆記体の内部に熱変色性インキを収容し、前記筆記体の前端に前記熱変色性インキが吐出可能なペン先を設け、前記筆記体を軸筒内に前後方向に移動可能に収容し、前記軸筒の後端孔から後方にノック部材を突出させ、ペン先没入状態から前記ノック部材を前方に押圧することにより前記ペン先を前記軸筒の前端孔から突出状態にし、ペン先突出状態から前記ノック部材を前方に押圧することにより前記ペン先を前記軸筒の前端孔から前記軸筒内に没入状態にする出没機構を備え、前記出没機構が、前記軸筒内面に設けたカム部と、前記カム部に係合し且つ前記筆記体の後端に当接する回転部材と、前記回転部材に係合する前記ノック部材と、前記軸筒内に収容され且つ前記筆記体または前記回転部材を後方に付勢する弾発体とからなり、前記軸筒の側壁外面にクリップを備え、前記ノック部材を弾性材料から一体に形成し、前記ノック部材の外面に、前記熱変色性インキの筆跡を摩擦しその際に生じる摩擦熱で前記熱変色性インキの筆跡を熱変色可能な摩擦部を形成した熱変色性筆記具であって、
前記ノック部材が、前記軸筒の後端孔に挿通され且つ前記回転部材に係合される内筒部と、前記内筒部と一体に連結され且つ前記軸筒の後端部を覆う外筒部とを備え、前記ノック部材の外筒部の外面に、前記摩擦部を用いて摩擦操作する際に把持可能な把持部を設け、前記ノック部材の外筒部が常にクリップの後方に配置されることを特徴とする熱変色性筆記具。
【請求項２】
前記外筒部の前端が、前記内筒部の前端より後方に位置される請求項１に記載の熱変色性筆記具。
ノック部材
【発明の詳細な説明】
【技術分野】
【０００１】
本発明は、熱変色性筆記具に関する。
【背景技術】
【０００２】
従来、例えば、特許文献１には、筆記体の内部に熱変色性インキを収容し、前記筆記体の前端に前記熱変色性インキが吐出可能なペン先を設け、前記筆記体を軸筒内に前後方向に移動可能に収容し、軸筒の後端孔から後方にノック体を突出させ、ペン先没入状態からノック体を前方に押圧することによりペン先を軸筒の前端孔から突出状態にし、ペン先突出状態からノック体を前方に押圧することによりペン先を軸筒の前端孔から軸筒内に没入状態にする出没機構を備え、前記出没機構が、軸筒内面に設けたカム部と、前記カム部に係合し且つ筆記体の後端に当接する回転部材と、前記回転部材に係合するノック体と、軸筒内に収容され且つ筆記体または回転部材を後方に付勢する弾発体とからなり、前記ノック体を弾性材料から一体に形成し、前記ノック体の外面に、前記熱変色性インキの筆跡を摩擦しその際に生じる摩擦熱で前記熱変色性インキの筆跡を熱変色可能な摩擦部を形成した熱変色性筆記具が開示されている。  
【０００３】
また、特許文献２の図１２には、軸筒の後端部に操作部を設け、操作部を軸筒の前部に対して前方に押圧操作することによりペン先没入状態からペン先突出状態にする出没機構を備え、操作部の後端外面に軟質材料よりなる摩擦部を設け、摩擦部後方の操作部の外周面に把持部とクリップを備えた熱変色性筆記具が開示されている。
【先行技術文献】
【特許文献】
【０００４】
【特許文献１】特開２０１１−１５６８２６号公報
【特許文献２】国際公開第２００８／１０５２２７号パンフレット
【発明の概要】
【発明が解決しようとする課題】
【０００５】
前記特許文献１に記載の熱変色性筆記具は、摩擦部を用いて摩擦操作する際、ノック体（摩擦部）が軸筒内に移動し、安定した摩擦操作が得られないおそれがある。また、前記特許文献２に記載の熱変色性筆記具は、操作部を片手で押圧操作する際、軸筒の前部を把持しながら操作部を押圧操作するため、手の比較的小さい人では、操作部の前端またはクリップが手のひらに接触し、スムーズな押圧操作が得られないおそれがある。
【０００６】
本発明は、前記従来の問題点を解決するものであって、摩擦部を用いて摩擦操作する際、安定した摩擦操作が得られ、且つ、ノック部材を片手で前方に押圧操作する際、手の比較的小さい人であっても、スムーズな押圧操作が得られる熱変色性筆記具を提供しようとするものである。
【０００７】
尚、本発明において、「前」とはペン体側を指し、「後」とはその反対側を指す。尚、本発明で、「ペン先没入状態」とは、ペン先が軸筒内に没入した状態をいい、「ペン先突出状態」とは、ペン先が軸筒の前端より外部に突出した状態をいう。
【課題を解決するための手段】
【０００８】
本願の第１の発明に係る熱変色性筆記具は、筆記体５の内部に熱変色性インキを収容し、前記筆記体５の前端に前記熱変色性インキが吐出可能なペン先５１を設け、前記筆記体５を軸筒２内に前後方向に移動可能に収容し、前記軸筒２の後端孔４１から後方にノック部材８を突出させ、ペン先没入状態から前記ノック部材８を前方に押圧することにより前記ペン先５１を前記軸筒２の前端孔３１から突出状態にし、ペン先突出状態から前記ノック部材８を前方に押圧することにより前記ペン先５１を前記軸筒２の前端孔３１から前記軸筒２内に没入状態にする出没機構を備え、前記出没機構が、前記軸筒２内面に設けたカム部６と、前記カム部６に係合し且つ前記筆記体５の後端に当接する回転部材７と、前記回転部材７に係合する前記ノック部材８と、前記軸筒２内に収容され且つ前記筆記体５または前記回転部材７を後方に付勢する弾発体１０とからなり、前記軸筒２の側壁外面にクリップ４３を備え、前記ノック部材８を弾性材料から一体に形成し、前記ノック部材８の外面に、前記熱変色性インキの筆跡を摩擦しその際に生じる摩擦熱で前記熱変色性インキの筆跡を熱変色可能な摩擦部９を形成した熱変色性筆記具であって、前記ノック部材８が、前記軸筒２の後端孔４１に挿通され且つ前記回転部材７に係合される内筒部８１と、前記内筒部８１と一体に連結され且つ前記軸筒２の後端部を覆う外筒部８２とを備え、前記ノック部材８の外筒部８２の外面に、前記摩擦部９を用いて摩擦操作する際に把持可能な把持部８２ａを設け、前記ノック部材８の外筒部８２が常にクリップ４３の後方に配置されることを要件とする。
【０００９】
前記第１の発明に係る熱変色性筆記具１は、前記構成により、摩擦部９を用いて摩擦操作する際には、ノック部材８の外筒部８２の把持部８２ａを把持でき、安定した摩擦操作が可能となる。さらに、前記第１の発明に係る熱変色性筆記具１は、ノック部材８を片手で前方に押圧操作する際、手の比較的小さい人であっても、ノック部材８の前端が手のひらに接触することがなく、スムーズな押圧操作が可能となる。
【００１０】
本願の第２の発明に係る熱変色性筆記具１は、前記第１の発明に係る熱変色性筆記具１において、前記外筒部８２の前端が、前記内筒部８１の前端より後方に位置されることを要件とする。
【００１１】
前記第２の発明に係る熱変色性筆記具１は、前記構成により、内筒部８１と回転部材７との確実な当接を可能にし、且つ、外筒部８２をクリップ４３より後方に確実に配置できる。その結果、摩擦部９を用いて摩擦操作する際、安定した摩擦操作が確実に得られ、且つ、ノック部材８を片手で押圧操作する際、手の比較的小さい人であっても、スムーズな押圧操作が確実に得られる。
【発明の効果】
【００１２】
本発明の熱変色性筆記具は、摩擦部を用いて摩擦操作する際、安定した摩擦操作が得られ、且つ、ノック部材を片手で押圧操作する際、手の比較的小さい人であっても、スムーズな押圧操作が得られる。
【図面の簡単な説明】
【００１３】
【図１】本発明の実施の形態のペン先没入状態を示す一部縦断面図である。
【図２】図１の要部拡大縦断面図である。
【図３】図１のペン先突出状態を示す一部縦断面図である。
【図４】図３の要部拡大縦断面図である。
【図５】図１の出没機構を示す分解図である。
【発明を実施するための形態】
【００１４】
本発明の筆記具の実施の形態を図面に従って説明する。（図１乃至図５参照）
本実施の形態の熱変色性筆記具１は、軸筒２と、該軸筒２内に収容される筆記体５と、該筆記体５のペン先５１を軸筒２の前端孔３１より出没自在にさせる出没機構とを備える。前記軸筒２は、円筒状の前軸３と、該前軸３の後端に連結される円筒状の後軸４とからなる。
【００１５】
・前軸
前記前軸３は、先細円筒状の合成樹脂の成形体である。前記前軸３の前端には前端孔３１が前後方向に貫設される。前記前軸３の後端開口部外面には、オネジ部が一体に形成される。
【００１６】
・後軸
前記後軸４は、円筒状の合成樹脂の成形体である。前記後軸４の後端には、後端孔４１が前後方向に貫設される。前記後軸４の後端部内面には段部４２が一体に形成される。前記後軸４の後端孔４１より前方の内面には、カム部６が一体に形成される。前記後軸４の外面には、軸筒２外面とポケット等を挟持可能なクリップ４３が設けられる。前記クリップ４３は、後軸４の外面に一体に形成されるか、または別部材の取り付けにより設けられる。前記後軸４のクリップ４３の基部より後方には、筒状後端部４４が形成される。前記後軸４の前端開口部内面には、メネジ部が一体に形成される。前記メネジ部と前軸３のオネジ部とが螺合可能である。
【００１７】
・筆記体
前記筆記体５は、ペン先５１と、該ペン先５１が前端開口部に圧入固着されたインキ収容管５２と、該インキ収容管５２内に充填される熱変色性インキと、該熱変色性インキの後端に充填され且つ該熱変色性インキの消費に伴い前進する追従体（例えば高粘度流体）とからなる。
【００１８】
・熱変色性インキ
前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００１９】
・ペン先
前記ペン先５１は、例えば、前端に回転可能にボールを抱持した金属製のボールペンのみからなる構成、または前記ボールペンチップの後部外面を保持した合成樹脂製のペン先ホルダーからなる構成のいずれであってもよい。また、前記インキ収容管５２の後端開口部に、インキ収容管５２と外部とが通気可能な通気孔を備えた尾栓を取り付けてもよい。
【００２０】
・出没機構
前記出没機構は、回転カム機構を用いたノック式出没機構であり、軸筒２内面（後軸４内面）に形成されたカム部６と、カム部６と係合し且つ筆記体５の後端と当接する回転部材７と、回転部材７及びカム部６と係合するノック部材８と、軸筒２内に収容され且つ筆記体５を後方に付勢する弾発体１０（例えば圧縮コイルスプリング）とからなる。本実施の形態の出没機構は、ペン先突出操作及びペン先没入操作のいずれもがノック部材８を前方に押圧する操作のダブルノック式である。
【００２１】
前記カム部６は、前方に突出する鋸歯状の複数のカム歯６１と、該カム歯６１間に形成され、回転部材７が係合するカム溝６２とを備える。回転部材７は、その外面に長手方向に延びる３本の突条７１を備え、該突条７１が、カム部６のカム溝６２と係合される。ノック部材８は、その前端部に、カム部６のカム溝６２内を摺動するガイド突条８１ｂと、回転部材７の突条７１の後端と係合するカム歯８１ａとを備える。
【００２２】
・ノック部材
ノック部材８は、弾性材料から一体に形成される。前記弾性材料は、例えば、シリコーン樹脂、ＳＢＳ樹脂、ＳＥＢＳ樹脂等が挙げられる。
【００２３】
ノック部材８が、前端が開口され且つ後端が閉鎖された有底筒状の内筒部８１と、前端が開口され且つ後端が閉鎖された有底筒状の外筒部８２と、内筒部８１の後端と外筒部８２の後端とを一体に連結する連結壁部８３とからなる。前記内筒部８１と前記外筒部８２は、横断面同心円状に配置される。
【００２４】
ノック部材８の外面は、前記熱変色性インキの筆跡を摩擦しその際に生じる摩擦熱で前記熱変色性インキの筆跡を熱変色可能な摩擦部９となる。具体的には、摩擦部９は、例えば、内筒部８１の後端部外面、外筒部８２の後端部外面、または連結壁部８３の後面が挙げられる。
【００２５】
前記内筒部８１は、軸筒２の後端孔４１に挿通され且つ前端部が回転部材７に係合される。前記内筒部８１の前端には、回転部材７と係合可能なカム歯８１ａが一体に形成される。前記内筒部８１の前端部外面には、カム部６のカム溝６２内を摺動するガイド突条８１ｂが一体に形成される。ペン先没入状態において、ガイド突条８１ｂが後軸４の段部４２に係止され、それにより、ノック部材８の後端孔４１からの脱落が防止される。尚、カム歯８１ａ及びガイド突条８１ｂを備える内筒部８１の前端部は、別部材の取り付けにより形成することもでき、弾性材料により形成される必要はない
【００２６】
前記外筒部８２は、軸筒２の筒状後端部４４の外面を覆うように配置される。前記ノック部材８の外筒部８２の外面に、前記摩擦部９を用いて摩擦操作する際に把持可能な把持部８２ａが構成される。前記外筒部８２の外径は、具体的には、１０ｍｍ以上に設定され、それにより、安定した把持が可能となる。
【００２７】
前記外筒部８２が、常に（即ち、ペン先突出状態及びペン先没入状態において）、クリップ４３の基部より後方に配置される。それにより、ノック部材８を片手で前方に押圧操作する際、ノック部材８を片手で押圧操作する際、手の比較的小さい人であっても、ノック部材８の前端が手のひらに接触することがなく、スムーズな押圧操作が可能となる。
【００２８】
また、外筒部８２の全体が、常に、軸筒２の外方に露出されるため、ペン先突出状態及びペン先没入状態の何れの状態であっても、前記摩擦部９を用いて摩擦操作する際に安定して把持できる把持部８２ａが得られる。
【００２９】
外筒部８２の前端が、常時、軸筒２の後端より前方に位置される。即ち、ペン先没入状態において、前記外筒部８２の前端は、軸筒２の後端より前方に位置される。それにより、前記外筒部８２が、ペン先没入状態において、軸筒２の後端部外面を覆っている。さらに、ペン先突出状態において、前記外筒部８２の前端は、軸筒２の後端より前方に位置される。それにより、前記外筒部８２が、ペン先突出状態において、軸筒２の後端部外面を覆っている。
【００３０】
摩擦操作時、外筒部８２の把持部８２ａを把持することより、外筒部８２が内方に弾性変形し、軸筒２外面（筒状後端部４４外面）と密接される。それにより、軸筒２後端部外面（筒状後端部４４外面）が外筒部８２内面により挟持された状態となり、ノック部材８と軸筒２とが一体化し、安定した摩擦操作が確実に得られる。
【００３１】
・ペン先の出没
ペン先没入状態からノック部材８を弾発体１０による後方付勢に抗して前方に押圧操作すると、ノック部材８（内筒部８１）の前端が回転部材７を前方に押圧し、前記回転部材７の突条７１がカム溝６２に沿って前方に移動する。前記回転部材７が前方に移動することに伴って、前記回転部材７が筆記体５の後端を前方に押圧し、ペン先５１が前端孔３１より外部に突出される。このとき、前記ノック部材８（内筒部８１）のカム歯８１ａと前記回転部材７の突条７１との当接によって回転部材７がカム部６に対して一定角度だけ回転する。それにより、前記回転部材７の突条７１がカム部６のカム歯６１に係合され、ペン先突出状態が維持される。
【００３２】
ペン先突出状態からノック部材８を前方に押圧操作すると、ノック部材８（内筒部８１）の前端が回転部材７を前方に押圧し、前記ノック部材８（内筒部８１）のカム歯８１ａと前記回転部材７の突条７１との当接によって回転部材７がカム部６に対して一定角度だけ回転する。それによって、前記突条７１とカム部６のカム歯６１との係合状態が解除され、弾発体１０による後方付勢により、前記突条７１がカム部６のカム溝６２に沿って後方に移動する。前記回転部材７が後方に移動することに伴って、筆記体５が後方に移動し、ペン先没入状態となる。前記ガイド突条８１ｂはカム部６の後方の段部４２に係止し、ペン先没入状態が維持される。
【００３３】
本実施の形態の熱変色性筆記具１は、筆記体５の内部に熱変色性インキを収容し、前記筆記体５の前端に前記熱変色性インキが吐出可能なペン先５１を設け、前記筆記体５を軸筒２内に前後方向に移動可能に収容し、前記軸筒２の後端孔４１から後方にノック部材８を突出させ、ペン先没入状態から前記ノック部材８を前方に押圧することにより前記ペン先５１を前記軸筒２の前端孔３１から突出状態にし、ペン先突出状態から前記ノック部材８を前方に押圧することにより前記ペン先５１を前記軸筒２の前端孔３１から前記軸筒２内に没入状態にする出没機構を備え、前記出没機構が、前記軸筒２内面に設けたカム部６と、前記カム部６に係合し且つ前記筆記体５の後端に当接する回転部材７と、前記回転部材７に係合する前記ノック部材８と、前記軸筒２内に収容され且つ前記筆記体５または前記回転部材７を後方に付勢する弾発体１０とからなり、前記軸筒２の側壁外面にクリップ４３を備え、前記ノック部材８を弾性材料から一体に形成し、前記ノック部材８の外面に、前記熱変色性インキの筆跡を摩擦しその際に生じる摩擦熱で前記熱変色性インキの筆跡を熱変色可能な摩擦部９を形成した熱変色性筆記具であって、前記ノック部材８が、前記軸筒２の後端孔４１に挿通され且つ前記回転部材７に係合される内筒部８１と、前記内筒部８１と一体に連結され且つ前記軸筒２の後端部を覆う外筒部８２とを備え、前記ノック部材８の外筒部８２の外面に、前記摩擦部９を用いて摩擦操作する際に把持可能な把持部８２ａを設け、前記ノック部材８の外筒部８２が常にクリップ４３の後方に配置される。
【００３４】
本実施の形態の熱変色性筆記具１は、前記構成により、摩擦部９を用いて摩擦操作する際には、ノック部材８の外筒部８２の把持部８２ａを把持でき、安定した摩擦操作が可能となる。さらに、前記第１の発明に係る熱変色性筆記具１は、ノック部材８を片手で前方に押圧操作する際、手の比較的小さい人であっても、ノック部材８の前端が手のひらに接触することがなく、スムーズな押圧操作が可能となる。
【００３５】
また、本実施の形態の熱変色性筆記具１は、前記外筒部８２の前端が、前記内筒部８１の前端より後方に位置される。それにより、内筒部８１と回転部材７との確実な当接を可能にし、且つ、外筒部８２をクリップ４３より後方に確実に配置できる。その結果、摩擦部９を用いて摩擦操作する際、安定した摩擦操作が確実に得られ、且つ、ノック部材８を片手で押圧操作する際、手の比較的小さい人であっても、スムーズな押圧操作が確実に得られる。
【符号の説明】
【００３６】
１  熱変色性筆記具
２  軸筒
３  前軸
３１  前端孔
４  後軸
４１  後端孔
４２  段部
４３  クリップ
４４  筒状後端部
５  筆記体
５１  ペン先
５２  インキ収容管
６  カム部
６１  カム歯
６２  カム溝
７  回転部材
７１  突条
８  ノック部材
８１  内筒部
８１ａ  カム歯
８１ｂ  ガイド突条
８２  外筒部
８２ａ  把持部
８３  連結壁部
９  摩擦部
１０  弾発体
【図１】
2018108664.tif 000003
【図２】
2018108664.tif 000004
【図３】
2018108664.tif 000005
【図４】
2018108664.tif 000006
【図５】
2018108664.tif 000007